(57)【要約】【課題】法人ユーザーにとっては、自社製品の取扱説明書を簡単に作成することができ、一般消費者にとっては、作成された取扱説明書を閲覧することにより、製品の取扱方法の取得や比較を容易にすることができる取扱説明書作成システムの提供を目的とする。【解決手段】入力項目および入力欄を格納する第１記憶装置、入力項目および入力欄を送信する送信手段、入力データを受信する受信手段、ウェブページを格納する第２記憶装置、説明書データを格納する第３、第４記憶装置を備えたウェブサーバーと、入力データを格納する第５記憶装置、初期入力値を格納する第６記憶装置を備えたデータベースサーバーとからなり、送信手段が、第３記憶装置から初期入力値を抽出して出力し、前記ユーザー端末によって入力欄に記載されるべき内容が入力された後、記入漏れがあった場合に、ユーザー側端末に記入漏れカ所を通知することを特徴とする。【選択図】図２
0003159964.tif 000002
【実用新案登録請求の範囲】
【請求項１】
インターネットを介して接続された、
ＣＰＵ（１２）、
ＲＡＭ（５）、
ユーザー側端末（ＰＵ）によって入力されるべき、製品の取扱説明書に関する入力項目（Ａ１〜Ａｎ）および該入力項目に対応する入力欄（Ｂ１〜Ｂｍ）を格納するための第１記憶装置（１６）、
インターネット（Ｉ）を介して、前記入力項目（Ａ１〜Ａｎ）および前記入力欄（Ｂ１〜Ｂｍ）をユーザー側端末（ＰＵ）に送信するための送信手段（１３）、
ユーザー側端末（ＰＵ）によって前記入力欄（Ｂ１〜Ｂｍ）に入力された入力データ（ｄ１〜ｄｍ）を受信する受信手段（１５）、
ウェブページを格納するための第２記憶装置（１７）、および
説明書データを格納するための第３および第４記憶装置（１８、１９）
を備えたウェブサーバー（１）と、
ＣＰＵ（２０）、
主メモリ（Ｍ１）、
補助メモリ（Ｍ２）、
前記入力欄（Ｂ１〜Ｂｍ）に入力されたデータ（ｄ１〜ｄｍ）を格納するための第５記憶装置（２２）、
製品の種類に沿った初期入力値を格納するための第６記憶装置（２２ａ）
を備えたデータベースサーバー（２）とからなり、
前記送信手段（１３）が、ユーザー側端末（ＰＵ）の前記入力欄（Ｂ１〜Ｂｍ）への記入漏れカ所をユーザー側端末（ＰＵ）に通知し、
ユーザー側端末（ＰＵ）が入力した入力データ（ｄ１〜ｄｍ）が、前記受信手段（１５）を介して前記第５記憶装置（２２）に伝達され、格納される取扱説明書作成システムであって、
前記データベースサーバー（２）と前記ウェブサーバー（１）が伝達媒体（Ｃａ）を介して互いに接続され、
前記ユーザー側端末（ＰＵ）がインターネット（Ｉ）を介して前記取扱説明書作成システムに接続され、
ユーザー側端末（ＰＵ）により製品情報の一部が入力されると、前記送信手段（１３）が、前記第３記憶装置（２２ａ）から前記製品の種類に沿った初期入力値を抽出して出力し、
前記送信手段（１３）が、前記製品の種類に沿った初期入力値が出力され、前記ユーザー端末によって入力欄に記載されるべき内容が入力された後、記入漏れがあった場合に、ユーザー側端末（ＰＵ）に記入漏れカ所を通知する
ことを特徴とする取扱説明書作成システム。
【考案の詳細な説明】
【技術分野】
【０００１】
本考案は取扱説明書作成システムに関する。
【背景技術】
【０００２】
従来より、説明書の作成は、製品を製造する企業が、自社内で説明書を作成しているが、中小企業などが説明書を作成するうえで、説明書の作成の知識がないため、説明書内でどのような項目をあげるのか、どのような注意書き等を記載すればよいのかという点がわからないという問題があったが、そのような場合にインターネットを通じて説明書を作成する簡易なシステムが存在しなかった。
【考案の概要】
【考案が解決しようとする課題】
【０００３】
そこで、本考案はかかる事情に鑑みて、法人ユーザーにとっては、自社製品の取扱説明書を簡単に作成することができ、一般消費者にとっては、作成された取扱説明書を閲覧することにより、製品の取扱方法の取得や比較を容易にすることができる取扱説明書作成システムの提供を目的とする。
【課題を解決するための手段】
【０００４】
本考案の取扱説明書作成システムは、インターネットを介して接続された、ＣＰＵ（１２）、ＲＡＭ（５）、ユーザー側端末（ＰＵ）によって入力されるべき、製品の取扱説明書に関する入力項目（Ａ１〜Ａｎ）および該入力項目に対応する入力欄（Ｂ１〜Ｂｍ）を格納するための第１記憶装置（１６）、インターネット（Ｉ）を介して、前記入力項目（Ａ１〜Ａｎ）および前記入力欄（Ｂ１〜Ｂｍ）をユーザー側端末（ＰＵ）に送信するための送信手段（１３）、ユーザー側端末（ＰＵ）によって前記入力欄（Ｂ１〜Ｂｍ）に入力された入力データ（ｄ１〜ｄｍ）を受信する受信手段（１５）、ウェブページを格納するための第２記憶装置（１７）、および説明書データを格納するための第３および第４記憶装置（１８、１９）を備えたウェブサーバー（１）と、ＣＰＵ（２０）、主メモリ（Ｍ１）、補助メモリ（Ｍ２）、前記入力欄（Ｂ１〜Ｂｍ）に入力されたデータ（ｄ１〜ｄｍ）を格納するための第５記憶装置（２２）、製品の種類に沿った初期入力値を格納するための第６記憶装置（２２ａ）を備えたデータベースサーバー（２）とからなり、前記送信手段（１３）が、ユーザー側端末（ＰＵ）の前記入力欄（Ｂ１〜Ｂｍ）への記入漏れカ所をユーザー側端末（ＰＵ）に通知し、ユーザー側端末（ＰＵ）が入力した入力データ（ｄ１〜ｄｍ）が、前記受信手段（１５）を介して前記第５記憶装置（２２）に伝達され、格納される取扱説明書作成システムであって、前記データベースサーバー（２）と前記ウェブサーバー（１）が伝達媒体（Ｃａ）を介して互いに接続され、前記ユーザー側端末（ＰＵ）がインターネット（Ｉ）を介して前記取扱説明書作成システムに接続され、ユーザー側端末（ＰＵ）により製品情報の一部が入力されると、前記送信手段（１３）が、前記第３記憶装置（２２ａ）から前記製品の種類に沿った初期入力値を抽出して出力し、前記送信手段（１３）が、前記製品の種類に沿った初期入力値が出力され、前記ユーザー端末によって入力欄に記載されるべき内容が入力された後、記入漏れがあった場合に、ユーザー側端末（ＰＵ）に記入漏れカ所を通知することを特徴とする。
【考案の効果】
【０００５】
本考案によれば、法人ユーザーにとっては、自社製品の取扱説明書を簡単に作成することができ、一般消費者にとっては、作成された取扱説明書を閲覧することにより、製品の取扱方法の取得や比較を容易にすることができる。
【図面の簡単な説明】
【０００６】
【図１】本考案の取扱説明書作成システムを示すブロック図である。
【図２】本考案の取扱説明書作成システムを示すブロック図である。
【図３】本考案の取扱説明書作成システムに用いられる入力フォーマットを説明するための図である。
【図４】本考案の取扱説明書作成システムに用いられる入力データ格納テーブルを説明するための図である。
【図５】本考案の取扱説明書作成システムの一実施の形態を示すフローチャートである。
【考案を実施するための形態】
【０００７】
図１および２は、本考案の取扱説明書作成システムを示すブロック図である。図１および２によれば、取扱説明書作成システムは、システム提供会社Ｓ側のウェブサーバー１と、システム提供会社Ｓ側のデータベースサーバー２と、当該ウェブサーバー１とデータベースサーバー２にインターネットＩを介して接続された１または複数の端末ＰＵ、ＰＣとから構成される。ウェブサーバー１とデータベースサーバー２とは、Ｅｔｈｅｒｎｅｔ（登録商標）などのＬＡＮにより接続されている。ウェブサーバー１は、ＣＰＵ、主メモリ、補助メモリ、内部または外部記憶装置、外部と通信を行なう送信手段、受信手段を備えたハードウェアであり、通常のパーソナルコンピュータを用いることができる。データベースサーバー２も同様に、ＣＰＵ、主メモリ、補助メモリ、内部または外部記憶装置、外部と通信を行なう送信手段、受信手段を備えたハードウェアであり、通常のパーソナルコンピュータを採用することができる。
【０００８】
端末ＰＵ、ＰＣは、実際に説明書を作成する取扱説明書作成システムのユーザーＵの端末（以下、単にユーザー側端末という）ＰＵと、作成された製品の説明書を、インターネットＩを介して閲覧をする一般消費者Ｃの端末（以下、単に消費者端末という）ＰＣとから構成される。
【０００９】
ユーザー側端末ＰＵは、図１に示すように、各種プログラムを実行するＣＰＵ３０と、記憶手段である記憶装置３１、記憶装置３２と、ウェブページなどを表示する表示装置３３と、キーボードなどの入力装置３４と、ウェブサーバー１とインターネットＩを介して有線または無線により接続する通信装置３５と、プリンターなどの出力装置３６とから構成されている。消費者端末ＰＣもユーザー側端末ＰＵと同様の構成を備えている。また、ユーザー側端末ＰＵ、消費者端末ＰＣは、デスクトップ型、ノート型のパーソナルコンピュータであっても、携帯電話等の移動端末であっても構わない。ユーザー側端末ＰＵ、消費者端末ＰＣはともに撚対線、同軸ケーブル、光ファイバーケーブルなどの伝達媒体である、ケーブルＣａまたは無線ＷによりインターネットＩに接続される。消費者端末ＰＣは、インターネットＩを介してウェブサーバー１にアクセスし、ウェブページから本システムにより作成された説明書を閲覧する。
【００１０】
ウェブサーバー１は、各種プログラムを実行するウェブサーバー用ＣＰＵ１２と、説明書の作成にあたって、入力されるべき入力項目Ａ１〜Ａｎと、当該入力項目Ａ１〜Ａｎに対応した入力欄Ｂ１〜Ｂｍとを備えた入力フォーマットＦ（図３参照）が格納される入力フォーマット格納領域１６と、入力欄Ｂ１〜Ｂｍに未記入の状態の入力フォーマットＦをインターネットＩを介してユーザー側端末ＰＵに送信し、ユーザー側端末ＰＵに記入漏れがあった場合に、ユーザー側端末ＰＵに記入漏れカ所を送信する送信手段１３と、ユーザー側端末ＰＵにより入力欄Ｂ１〜Ｂｍに入力された入力データを受信する受信手段１５と、ユーザー側端末ＰＵにより入力欄Ｂ１〜Ｂｍに入力された入力データを集計する集計手段１４とから構成される。入力データとは、入力欄に入力された文字列、英数字、イラスト等のデータをいうものである。
【００１１】
ここで、入力項目Ａ１〜Ａｎとは、たとえば図３に示すように、入力フォーマットＦに予め所定の数だけ記載されている、「製品名」、「本体サイズ」、「寿命」、「製品各部の名称」、「製品の定格出力」、「危険内容」、「警告内容」、「注意内容」、「使用方法」、「使用時の注意」、「取付方法」、「組立方法」、「故障かな？と思ったら」、「修理の窓口」等、説明書に記入されるべき情報の種類をいうものである。入力項目Ａ１〜Ａｎの数はたとえば５０〜１００個程度である。入力項目Ａ１〜Ａｎを更新することにより、入力項目Ａ１〜Ａｎの数を増減してもよい。
【００１２】
また、入力欄Ｂ１〜Ｂｍとは、入力フォーマットＦ中に設けられた空白部分であり、説明書を作成する企業等のユーザー側端末ＰＵが項目に応じて自由に入力できる部分である。入力項目には１つもしくは複数の入力欄を設けることができる。
【００１３】
入力フォーマットＦは、仮想的な入力欄であり、入力データは物理的にはデータベースサーバー２のハードディスク内に格納される。
【００１４】
また、ウェブサーバー１には、さらにシステム提供会社Ｓのウェブページのデータが格納されるウェブページ格納領域１７、本システムにより、作成され完成した説明書の印刷用データ、ＰＤＦデータが格納される説明書格納領域１８、１９が設けられている。
【００１５】
また、ユーザー側端末ＰＵにより入力された入力データが一時的に格納されるＲＡＭ５がウェブサーバー１に備え付けられている。ＲＡＭ５に一時的に記憶された入力データは、入力データ格納領域２２に格納され、ウェブサーバー１の集計手段１４により、データベースサーバー２に問い合わせを行ない、製品カテゴリーごとに使う頻度の高い入力データを集計し、頻度の高い入力データを抽出し、当該頻度の高い入力データを、データベースサーバー２の初期入力値格納領域２２ａに格納し、初期入力値とする。集計手段１４は、ウェブサーバー１の主または補助メモリに格納されたアプリケーションであり、集計手段１４をＣＰＵ１２が呼び出して、頻度の高い入力データを集計する。ここで、初期入力値とは、扱われる製品に共通して説明書に記載される共通事項のことであり、たとえばアイロンであれば、項目「製品の重量」について、アイロンの重量が、ほぼ９００ｇであるときに、共通事項である「９００ｇ」というデータが、初期入力値として格納され、項目「定格消費電力」について、アイロンの定格消費電力が、製品に共通して「１２００Ｗ」であるときは、共通事項である「１２００Ｗ」というデータが初期入力値として格納される。また、アイロンについて共通の警告事項である「電流は交流１００Ｖ、定格１５Ａ以上のコンセントを単独で使う」という記載や、「高温部には触れない」という注意書き等、製品の種類に応じて共通して説明書に記載される事項が、製品の種類ごとに初期入力値として格納される。
【００１６】
集計手段１４により抽出された初期入力値は、初期入力値格納領域２２ａに追加され、初期入力値格納領域２２ａが更新される。初期入力値格納領域２２ａが更新されるほど、次回に利用するユーザーＵが説明書を作成するうえで、初期入力値が得られるので、製品安全に努めた取扱説明書を作成することができるという利点がある。
【００１７】
データベースサーバー２は、図２に示すように、各種プログラムを実行するデータベースサーバー用ＣＰＵ２０と、主メモリＭ１、補助メモリＭ２、説明書を作成するユーザー側端末ＰＵによって入力欄Ｂ１〜Ｂｍに入力された入力データが格納される入力データ格納領域２２と、扱われる製品に共通して説明書に記載される初期入力値が格納される初期入力値格納領域２２ａとから構成される。
【００１８】
入力欄Ｂ１〜Ｂｍに入力された入力データは、図４に示されるように、テーブルとして入力データ格納領域２２に保存される。図４に示すように、「製品名」、「本体サイズ」など各データで共通する項目（カラム）が横方向の列に並び、個々の入力データｄ１である「アイロンＡ」、「ドライヤーＢ」などの文字列や、「１５０」、「２００」などの数値が縦に行として並んでテーブルＴとして保存される。
【００１９】
システム提供会社Ｓのウェブサーバー１は、ユーザー側端末ＰＵに説明書作成にかかわる代金および代金支払い期限に関する情報を転送する。このとき、たとえばユーザーＵが、代金を口座振り込みにより支払う場合、代金支払い用の口座に関する情報も合わせて転送してもよい。また、たとえばインターネットＩに接続された一般のクレジット会社のサーバーＣＲを介して代金を支払ってもよいが、この場合は、一般に必要とされる所定の手続きが必要となる。また、従来のようにコンビニエンスストアのような代理店で代金を支払ってもよい。
【００２０】
次に説明書作成システムの一実施の形態を図５に示すフローチャートを用いて説明する。
【００２１】
（１）Ｓ１において、ユーザー側端末ＰＵの通信装置からウェブサーバー１に対して、インターネットＩを介して説明書作成システムのシステム提供会社Ｓのウェブページへのアクセス要求がされる。ウェブページへのアクセス要求がされると、ウェブサーバー１がアクセス要求を受信し、ウェブサーバー１のＣＰＵからウェブサーバー１の記憶装置に格納されたウェブページのデータをユーザー側端末に送信するように命令が出される。ウェブサーバー１によって、ウェブページのデータがユーザー側端末ＰＵにインターネットを介して送信され、伝送されたウェブページのデータがユーザー側端末ＰＵの表示装置に表示され、システム提供会社Ｓのウェブページが表示される。
【００２２】
（２）Ｓ２において、ユーザー側端末ＰＵに表示されたウェブページ上で、ユーザーＵの企業名や、住所、メールアドレス等の連絡先などが入力され、企業登録を行なう。企業登録が行なわれると、システム提供会社ＳによりＩＤ・パスワードが発行され、メール等により登録を行なったユーザー側端末ＰＵに当該ＩＤ・パスワードおよび管理者画面のウェブページに移動するためのＵＲＬを送信する。
【００２３】
（３）Ｓ３において、企業等のユーザー側端末ＰＵが、システム提供会社Ｓから送信されたメール内に記載されたＵＲＬに移動すると、ウェブサーバー１に保存された管理者画面のウェブページが表示される。管理者画面には、社名、商品名、製品の型番等を入力する欄が設けられ、製品の簡易登録を行うことができる。
【００２４】
（４）ウェブページ上で、取扱説明書作成画面に移動すると、Ｓ４においてシステム利用料の支払方法画面に移動する。支払方法画面では、銀行振込、コンビニエンスストア決済等の支払方法を選択することができる。
【００２５】
（５）インターネットＩを介してクレジット会社のサーバーＣＲを介して代金が支払われるか、代理店であるコンビニエンスストアに代金が支払われたことをシステム提供会社Ｓが確認すると、たとえばメール等により入金の確認（Ｓ５参照）と、取扱説明書の作成が可能であることを企業等のユーザー側端末ＰＵに通知する。
【００２６】
（６）入金の確認を知らされた企業等のユーザーＵは、Ｓ６において、再度ユーザー側端末ＰＵからシステム提供会社Ｓのウェブページに移動し、取扱説明書の標準化ページに移動する。
【００２７】
（７）Ｓ７において、当該ユーザー側端末ＰＵによって入力された文章、写真、イラスト等の著作権が、ユーザー側端末ＰＵを所有する企業が保持するものであるか否かの確認画面が表示され、エビデンス、著作権の保持のチェックがなされる。
【００２８】
（８）Ｓ８において、ユーザー側端末ＰＵの表示装置３３に、入力フォーマットＦが表示され、ユーザー側端末ＰＵは、入力フォーマットＦにわかる範囲でデータを入力し、取扱説明書をウェブサーバー１に仮送信する。
【００２９】
（９）Ｓ１０において、入力フォーマットＦの入力欄Ｂ１〜Ｂｍに記入漏れがあるか否かが判断され、記入漏れがある場合はＳ１１に進み、記入漏れがない場合はＳ１４に進む。
【００３０】
（１０）Ｓ１０において、記入漏れがある場合は、Ｓ１１において取扱説明書の入力データｄ１〜ｄｍがウェブサーバーのＲＡＭ５に仮保存され、未入力箇所の項目に、データベースサーバー２の初期入力値格納領域２２ａから初期入力値が抽出され、未記入であった入力欄に初期入力値が記載された状態で、取扱説明書の入力データｄ１〜ｄｍが保存される（Ｓ１３参照）。
【００３１】
（１１）Ｓ１２において入力欄に初期入力値が抽出されて入力された入力フォーマットＦが再度ユーザー側端末ＰＵに送信され、ユーザー側端末ＰＵによって入力された内容の確認がなされる（Ｓ１４）。ユーザー側端末ＰＵによって確認がされ、送信された内容でよい場合はＳ１６に進み、送信された内容では不充分である場合には、Ｓ１５において取扱説明書のデータ入力画面が仮保存され（Ｓ１５）、Ｓ８に戻る。
【００３２】
（１２）Ｓ１４において入力されたデータに間違いがないことが確認されると、Ｓ１６において完成した取扱説明書の内容がユーザー側端末ＰＵに送信される。
【００３３】
（１３）完成した取扱説明書のデータは、Ｓ１７においてデータベースサーバー２の入力データ格納領域２２に保存される。なお、Ｓ１８において取扱説明書にその後修正等がある場合は、修正画面により修正をすることができる。
【００３４】
（１４）ユーザー側端末ＰＵは、Ｓ１９において完成した説明書のＰＤＦデータやウェブページ用のデータなどをダウンロードすることができ、Ｓ２０において一連の取扱説明書作成が終了する。
【００３５】
上記Ｓ１〜Ｓ２０はあくまで一例であり、当業者に自明な修正・変更は本考案に含まれることはいうまでもない。
【符号の説明】
【００３６】
１  ウェブサーバー
１３  送信手段
１４  集計手段
１５  受信手段
１６  入力フォーマット格納領域
１７  ウェブページ格納領域
１８、１９  説明書格納領域
２  データベースサーバー
２２  入力データ格納領域
２２ａ  初期入力値格納領域
【図１】
0003159964.tif 000003
【図２】
0003159964.tif 000004
【図３】
0003159964.tif 000005
【図４】
0003159964.tif 000006
【図５】
0003159964.tif 000007
【手続補正書】
【提出日】平成22年2月19日(2010.2.19)
【手続補正１】
【補正対象書類名】実用新案登録請求の範囲
【補正対象項目名】全文
【補正方法】変更
【補正の内容】
【実用新案登録請求の範囲】
【請求項１】
インターネットを介して接続された、
ＣＰＵ（１２）、
ＲＡＭ（５）、
ユーザー側端末（ＰＵ）によって入力されるべき、製品の取扱説明書に関する入力項目（Ａ１〜Ａｎ）および該入力項目に対応する入力欄（Ｂ１〜Ｂｍ）を格納するための第１記憶装置（１６）、
インターネット（Ｉ）を介して、前記入力項目（Ａ１〜Ａｎ）および前記入力欄（Ｂ１〜Ｂｍ）をユーザー側端末（ＰＵ）に送信するための送信手段（１３）、
ユーザー側端末（ＰＵ）によって前記入力欄（Ｂ１〜Ｂｍ）に入力された入力データ（ｄ１〜ｄｍ）を受信する受信手段（１５）、
ウェブページを格納するための第２記憶装置（１７）、および
説明書データを格納するための第３および第４記憶装置（１８、１９）
を備えたウェブサーバー（１）と、
ＣＰＵ（２０）、
主メモリ（Ｍ１）、
補助メモリ（Ｍ２）、
前記入力欄（Ｂ１〜Ｂｍ）に入力されたデータ（ｄ１〜ｄｍ）を格納するための第５記憶装置（２２）、
製品の種類に沿った初期入力値を格納するための第６記憶装置（２２ａ）
を備えたデータベースサーバー（２）とからなり、
前記送信手段（１３）が、ユーザー側端末（ＰＵ）の前記入力欄（Ｂ１〜Ｂｍ）への記入漏れカ所をユーザー側端末（ＰＵ）に通知し、
ユーザー側端末（ＰＵ）が入力した入力データ（ｄ１〜ｄｍ）が、前記受信手段（１５）を介して前記第５記憶装置（２２）に伝達され、格納される取扱説明書作成システムであって、
前記データベースサーバー（２）と前記ウェブサーバー（１）が伝達媒体（Ｃａ）を介して互いに接続され、
前記ユーザー側端末（ＰＵ）がインターネット（Ｉ）を介して前記取扱説明書作成システムに接続され、
ユーザー側端末（ＰＵ）により製品情報の一部が入力されると、前記送信手段（１３）が、前記第３記憶装置（２２ａ）から前記製品の種類に沿った初期入力値を抽出して出力し、
前記送信手段（１３）が、前記製品の種類に沿った初期入力値が出力され、前記ユーザー側端末（ＰＵ）によって入力欄に記載されるべき内容が入力された後、記入漏れがあった場合に、ユーザー側端末（ＰＵ）に記入漏れカ所を通知する
ことを特徴とする取扱説明書作成システム。
【手続補正書】
【提出日】平成22年3月29日(2010.3.29)
【手続補正１】
【補正対象書類名】実用新案登録請求の範囲
【補正対象項目名】全文
【補正方法】変更
【補正の内容】
【実用新案登録請求の範囲】
【請求項１】
インターネットを介して接続された、
ＣＰＵ（１２）、
ＲＡＭ（５）、
ユーザー側端末（ＰＵ）によって入力されるべき、製品の取扱説明書に関する入力項目（Ａ１〜Ａｎ）および該入力項目に対応する入力欄（Ｂ１〜Ｂｍ）を格納するための第１記憶装置（１６）、
インターネット（Ｉ）を介して、前記入力項目（Ａ１〜Ａｎ）および前記入力欄（Ｂ１〜Ｂｍ）をユーザー側端末（ＰＵ）に送信するための送信手段（１３）、
ユーザー側端末（ＰＵ）によって前記入力欄（Ｂ１〜Ｂｍ）に入力された入力データ（ｄ１〜ｄｍ）を受信する受信手段（１５）、
ウェブページを格納するための第２記憶装置（１７）、および
説明書データを格納するための第３および第４記憶装置（１８、１９）
を備えたウェブサーバー（１）と、
ＣＰＵ（２０）、
主メモリ（Ｍ１）、
補助メモリ（Ｍ２）、
前記入力欄（Ｂ１〜Ｂｍ）に入力されたデータ（ｄ１〜ｄｍ）を格納するための第５記憶装置（２２）、
製品の種類に沿った初期入力値を格納するための第６記憶装置（２２ａ）
を備えたデータベースサーバー（２）とからなり、
前記送信手段（１３）が、ユーザー側端末（ＰＵ）の前記入力欄（Ｂ１〜Ｂｍ）への記入漏れカ所をユーザー側端末（ＰＵ）に通知し、
ユーザー側端末（ＰＵ）が入力した入力データ（ｄ１〜ｄｍ）が、前記受信手段（１５）を介して前記第５記憶装置（２２）に伝達され、格納される取扱説明書作成システムであって、
前記データベースサーバー（２）と前記ウェブサーバー（１）が伝達媒体（Ｃａ）を介して互いに接続され、
前記ユーザー側端末（ＰＵ）がインターネット（Ｉ）を介して前記取扱説明書作成システムに接続され、
ユーザー側端末（ＰＵ）により製品情報の一部が入力されると、前記送信手段（１３）が、前記第６記憶装置（２２ａ）から前記製品の種類に沿った初期入力値を抽出して出力し、
前記送信手段（１３）が、前記製品の種類に沿った初期入力値が出力され、前記ユーザー側端末（ＰＵ）によって入力欄に記載されるべき内容が入力された後、記入漏れがあった場合に、ユーザー側端末（ＰＵ）に記入漏れカ所を通知する
ことを特徴とする取扱説明書作成システム。